(57)【要約】【課題】付録付きの冊子の端面をきれいに断裁可能な断裁方法、及び断裁装置を提供する。【解決手段】付録付き冊子Ｓを載置台５に載置し、この冊子Ｓを上方から押圧し、冊子Ｓを載置台５との間で押圧して、その冊子Ｓの押圧中に断裁刃３０を用いて冊子Ｓの端部を断裁する断裁方法であって、この冊子Ｓを断裁する前に、断裁刃３０により断裁可能な補助体１０を付録７の周囲に配置する。【選択図】図３
2013202778.tif 000002
【特許請求の範囲】
【請求項１】
積層された用紙の間に当該用紙よりも小さな付録が挟まれた冊子を載置する載置台と、
当該冊子を載置台との間で押圧する冊子押圧体と、
当該冊子の押圧中に、当該冊子の端部を断裁する断裁刃と、を備えた断裁装置であって、
前記付録の周囲に配置され、前記断裁刃により断裁可能な補助体を備えることを特徴とする断裁装置。
【請求項２】
前記断裁刃により前記冊子が断裁された後に、前記補助体を前記冊子から取り除く補助体除去手段を備えていることを特徴とする請求項１に記載の断裁装置。
【請求項３】
積層された用紙の間に当該用紙よりも小さな付録が挟まれた冊子を載置台に載置する冊子位置決め工程と、
当該冊子を上方から押圧し、当該冊子を載置台との間で押圧する用紙押圧工程と、
当該冊子の押圧中に断裁刃を用いて当該冊子の端部を断裁する断裁工程と、を備えた断裁方法であって、
前記冊子を断裁する前に、前記断裁刃により断裁可能な補助体を前記付録の周囲に配置する補助体配置工程を備えることを特徴とする断裁方法。
【請求項４】
前記断裁刃により前記冊子が断裁された後に、前記補助体を前記冊子から取り除く補助体除去工程を更に備えていることを特徴とする請求項３に記載の断裁方法。
【発明の詳細な説明】
【技術分野】
【０００１】
本発明は、用紙を断裁する断裁装置等に関する。
【背景技術】
【０００２】
一般に製本工程において、中綴じ等の処理がされた冊子の端面を切断して揃える断裁装置が知られている。この種の断裁装置は、冊子を載置する載置台と、冊子を載置台に対して押圧する押圧部材と、この押圧部材で冊子を押し付けた状態でその端面を断裁する断裁刃と、を備えている。
【０００３】
また、中綴じ等の処理がされた背側と小口側とで多少の厚みの変化がある冊子では、載置台上における断裁刃の挙動が不安定になるため、押圧部材により押圧荷重を調整可能な断裁装置が知られている（特許文献１、及び２参照）。
【先行技術文献】
【特許文献】
【０００４】
【特許文献１】特開２００１−８８０９０号公報
【特許文献２】特開２００７−３０１６５９号公報
【発明の概要】
【発明が解決しようとする課題】
【０００５】
中綴じ等の処理がされた冊子は、単独であれば上述したように押圧荷重の調整によってその端面をきれいに断裁可能であるものの、近年よく見られる付録付きの冊子では、断裁時に冊子の端部が変形し、断裁面に一般にむしれと称される凹凸が生じるなどの不具合が発生する。特に、複数の冊子を同時に断裁する際には顕著に不具合が発生するものの、効率化を図る上では、複数の冊子を重ねた状態で断裁処理することが必要不可欠である。
【０００６】
そこで、本発明は、上記問題点に鑑みてなされたものであり、その目的の一例は、付録付きの冊子の端面をきれいに断裁可能な断裁方法、及び断裁装置を提供することである。
【課題を解決するための手段】
【０００７】
上記課題を解決するために、請求項１に記載の断裁装置（１）は、積層された用紙（２）の間に当該用紙よりも小さな付録（７）が挟まれた冊子（Ｓ）を載置する載置台（５）と、当該冊子を載置台との間で押圧する冊子押圧体（２５）と、当該冊子の押圧中に、当該冊子の端部を断裁する断裁刃（３０）と、を備えた断裁装置であって、前記付録の周囲に配置され、前記断裁刃により断裁可能な補助体（１０）を備えることを特徴とする。
【０００８】
また、請求項２に記載の断裁装置は、請求項１に記載の断裁装置において、前記断裁刃により前記冊子が断裁された後に、前記補助体を前記冊子から取り除く補助体除去手段（５０）を備えていることを特徴とする。
【０００９】
また、請求項３に記載の断裁方法は、積層された用紙の間に当該用紙よりも小さな付録が挟まれた冊子を載置台に載置する冊子位置決め工程と、当該冊子を上方から押圧し、当該冊子を載置台との間で押圧する用紙押圧工程と、当該冊子の押圧中に断裁刃を用いて当該冊子の端部を断裁する断裁工程と、を備えた断裁方法であって、前記冊子を断裁する前に、前記断裁刃により断裁可能な補助体を前記付録の周囲に配置する補助体配置工程を備えることを特徴とする。
【００１０】
また、請求項４に記載の断裁方法は、請求項３に記載の断裁方法において、前記断裁刃により前記冊子が断裁された後に、前記補助体を前記冊子から取り除く補助体除去工程を更に備えていることを特徴とする。
【発明の効果】
【００１１】
本発明における断裁装置等によれば、複数の付録付き冊子の端部の断裁において、断裁面にむしれを発生させることなく、安定して断裁できる。
【図面の簡単な説明】
【００１２】
【図１】付録付き冊子の一例を示す断面図である。
【図２】製本前における付録付き冊子の一例を示し、図２（ａ）は小口側から視認した断面図、図２（ｂ）は図２（ａ）のII−II断面図である。
【図３】本発明の補助体を製本前の付録付き冊子に挿入した一例を示し、図３（ａ）は小口側から視認した断面図、図３（ｂ）は図３（ａ）のIII−III断面図である。
【図４】補助体の斜視図である。
【図５】断裁装置の一例を示す模式図である。
【図６】補助体を挿入した付録付き冊子を断裁装置に載置した状態を示す模式図である。
【図７】吸引装置を用いて補助体を吸引する状態を示す模式図である。
【発明を実施するための形態】
【００１３】
以下に、本願発明の最良の実施形態を添付図面に基づいて説明する。
【００１４】
まず、本発明の断裁方法について詳述する。
（冊子Ｓについて）
まず、本実施形態の断裁方法で断裁される冊子Ｓは、図１に示すように、複数の用紙２が積層されてその一端（背ａ）側が閉じられて中綴じ処理又は二つ折り処理されたものであって、冊子Ｓを構成する用紙２間に冊子Ｓの形状よりも小さい付録７が小口ｂ側から挿入された付録付きの冊子（以下、「付録付き冊子Ｓ」と称する）である。
【００１５】
ここで、付録７とは、内部に収容部を有しその収容部に付録としての収容物を収容した箱状に形成された収容体や表裏２枚の表紙紙片の間に付録としての収容物を収容し、表紙紙片の端部を接着して形成された厚みを有する収容体である。
【００１６】
本実施形態の断裁方法では、図２（ｂ）に示すように、付録付き冊子Ｓは、側端部（小口ｂ）、上端部ｄ１、下端部ｄ２の三方が、例えば図２（ｂ）中の二点鎖線に沿って後述する断裁装置１により断裁されることにより頁揃えが行われるが、用紙束Ｓの小口ｂ側の一方が断裁されて頁揃えが行われるような形態でも構わない。
【００１７】
ここで、付録付きＳには、上述したようにその用紙２間に付録７が挿入されているため、付録７の外側周辺には、図２（ａ）に示すように、用紙２間に隙間ｔが生じる。１つの用紙束Ｓの端部を切断する場合には多少の隙間ｔが生じていても断裁を行う際に問題とならないが、断裁装置１を用いた一般的な用紙束Ｓの断裁では、複数の用紙束Ｓを積層した状態で一度に切断するため、各用紙束Ｓにおける複数の隙間ｔの存在によって、用紙束Ｓの端部が変形して断裁刃の挙動が不安定になり、断裁面には凹凸（むしれ）が生じる。
【００１８】
そこで、本発明の断裁方法では、図３に示すように、付録７の周辺に生じている隙間ｔに補助体１０を挿入することによって、隙間ｔを埋めて用紙束Ｓにおける断裁面の変形をなくし断裁刃の挙動を安定させ、安定して断裁ができるようにしている。
【００１９】
図４に示すように、補助体１０は、例えば、わら半紙などの薄紙の積層体、厚紙の積層体等で構成される。なお、この補助体１０は、断裁刃によって断裁可能であれば、材質等は特に限定されるものではない。
【００２０】
しかしながら、付録付き冊子Ｓの断裁においては、付録付き冊子Ｓへの押圧を一定に保つ必要性があるため、補助体１０は、押圧方向に対して付録付き冊子Ｓを構成する用紙束と同等以上の強度を持つ材質であることが好ましい。また、補助体１０は、用紙束と一緒に断裁されるため、用紙束と同等の力で断裁される材質であることが好ましい。更には、断裁後は、用紙束の断裁屑と一緒に除去されるため、押圧方向以外の力には弱い配向性を持つ材料であることが好ましい。
【００２１】
また、補助体１０は、付録付き冊子Ｓの隙間ｔに応じてその形状を変える必要があるものの、本実施形態の断裁方法では、図２に示すように、側端部（小口ｂ）側、上端部ｄ１側、及び下端部ｄ２側の三方に隙間ｔが生じているため、図３及び図４に示すように、付録におけるこの三方を囲うように略コ字状に形成される。また、この補助体１０は、断裁刃によって断裁される箇所に存在すれば良いため、補助体１０の開口部１０ａが付録の形状に合致している必要はない。
【００２２】
このように本発明の断裁方法は、付録７が挿入された付録付き冊子Ｓに補助体１０を挿入し、その後、図３（ｂ）中の二点鎖線に沿って頁揃えのための断裁を行う。そして、断裁後、図７に示すように、切断屑１０ａを含む補助体１０を、例えば、後述する吸引装置５０を用いて吸引し冊子５から除去して断裁処理を終了する。
【００２３】
この結果、付録付き冊子Ｓの端部の断裁において、断裁面にむしれを発生させることなく、安定して断裁できる。
【００２４】
次に、図５を用いて、本発明の断裁装置について詳述する。
【００２５】
（断裁装置の構成など）
図５に示すように、本実施形態の断裁装置１は、製本過程中の付録付き冊子Ｓを載置するための基台５と、この付録付き冊子Ｓの所定箇所（外側三方の端部）を断裁する断裁機構部２０と、を備えている。
【００２６】
断裁機構部２０は、付録付き冊子Ｓを基台５側へと押圧する用紙束押圧体２５と、押圧した付録付き冊子Ｓの端部を切断する切断刃３０と、を備えている。
【００２７】
基台５は、付録付き冊子Ｓを複数積層して載置するための平坦状の載置面５ａを有し、好適には、その載置面５ａの背面若しくは周囲には、略鉛直方向に付録付き冊子Ｓを位置決めするためのガイド体６を備えている。
【００２８】
用紙束押圧体２５は、付録７よりも大きい板状体により矩形状又は円形状に形成されている。付録７よりも小さいと、断裁する際に用紙束Ｓの端部まで押圧されず、付録付き冊子Ｓの端部が変形して断裁面にむしれが生じる原因となるからである。この用紙束押圧体２５は、例えば、図示しないフレームに固定された油圧シリンダ２６のピストンロッド２７に連結されて、基台５の上方に配置される。そして、ピストンロッド２７が油圧シリンダ２６により下降駆動されることで用紙束押圧体２５が付録付き冊子Ｓを基台５側へと押圧する。
【００２９】
一方、断裁刃３０も、用紙束押圧体２５と同様に、例えば、図示しないフレームに固定された油圧シリンダのピストンロッドに連結され、基台５の縁部上方に保持される。そして、ピストンロッドが油圧シリンダにより下降駆動されることで基台５上に載置された付録付き冊子Ｓの端部を断裁する。なお、断裁後は、ピストンロッドが油圧シリンダにより上昇駆動されて元の位置に復帰保持される。
【００３０】
また、断裁装置には、図７に示すように、吸引装置５０を備えている。吸引装置５０は、切断屑１０ａを含む補助体１０を吸引するための開口部５５を有し、この開口部５５はダクト等の接続体５１を介して吸引装置５０に接続されている。
【００３１】
なお、吸引装置５０以外でも、この切断屑１０ａを含む補助体１０を外部に除去できればよく、例えば、アーム等で掻き出したり、エアーを吹き付けたり、振動させたりして、切断屑１０ａを含む補助体１０を付録付き冊子Ｓから取り除いても構わない。
【００３２】
次に、本実施形態の断裁装置１を用いた断裁手法の一例について図６及び図７を用いて説明する。
【００３３】
まず、付録７が用紙２の頁間に挿入された付録付き冊子Ｓに対して、作業者若しくは所定の装置によって、付録７の周囲に生じている隙間ｔに補助体１０が挿入される。
【００３４】
次に、図６に示すように、補助体１０が挿入された付録付き冊子Ｓが基台５上に複数積み重ねられる。
【００３５】
次に、ピストンロッド２７が油圧シリンダ２６により下降駆動されることで付録付き冊子Ｓを基台５側へと押圧し、その後、ピストンロッドが油圧シリンダにより下降駆動されることで基台５上に載置された付録付き冊子Ｓの端部（本実施形態では、小口ｂ、上端部ｄ１、下端部ｄ２の三方）を断裁し、付録付き冊子Ｓの端面が揃えられる。
【００３６】
次に、図７に示すような吸引装置５０を用いて、付録付き冊子Ｓの小口ｂ側から切断屑１０ａを含む補助体１０を吸引し、断裁処理を終了する。
【００３７】
なお、断裁された付録付き冊子Ｓは個々に排出されて次の製本工程に送られる。
【００３８】
以上に説明したように本実施形態の断裁装置１は、積層された用紙２の間に当該用紙２よりも小さな付録７が挟まれた付録付き冊子Ｓを載置する基台５（本願の載置台）と、当該付録付き冊子Ｓを基台５との間で押圧する冊子押圧体２５と、当該付録付き冊子Ｓを押さえた後に、当該付録付き冊子Ｓの端部を断裁する切断刃３０（本願の断裁刃）と、を備えた断裁装置１であって、前記付録７の周囲に配置され、前記切断刃３０により断裁可能な補助体１０を備える。また、断裁装置１は、前記切断刃３０により付録付き冊子Ｓの端部が断裁された後に、前記補助体１０を前記付録付き冊子Ｓから取り除く吸引装置５０（本願の補助体除去手段）を備えている。
【００３９】
したがって、付録付き冊子Ｓを複数、積層した状態で当該付録付き冊子Ｓの端部を断裁しても、際断面にむしれを発生させることなく、安定して断裁することができる。
【００４０】
なお、以上説明した実施形態は特許請求の範囲にかかる発明を限定するものではない。そして、上記実施形態の中で説明されている構成の組み合わせのすべてが発明の課題解決に必須の手段であるとは限らない。
【００４１】
具体的には、補助体の形状はどのような形状であっても良く、少なくとも切断刃３０によって切断される箇所近傍に設けられればよい。よって、本実施形態の補助体１０は略コ字状に形成されているが、分割されて小口ｂ、上端部ｄ１、下端部ｄ２の三方にそれぞれ設けられても良い。
【符号の説明】
【００４２】
Ｓ        付録付き冊子
１        断裁装置
５        基台
１０        補助体
２５        冊子押圧体
３０        切断刃
５０        吸引装置
【図１】
2013202778.tif 000003
【図２】
2013202778.tif 000004
【図３】
2013202778.tif 000005
【図４】
2013202778.tif 000006
【図５】
2013202778.tif 000007
【図６】
2013202778.tif 000008
【図７】
2013202778.tif 000009